(57)【要約】【課題】  第１部材と第２部材を弾性的に連結する際の組立性を向上させ、且つ、コストアップにならない構造にする。【解決手段】  第１部材と第２部材を弾性的に連結するダンパ部材２０３であって、第１部材と嵌合する軸形状の第１の嵌合部５０１と、第２部材と嵌合する穴形状の第２の嵌合部５０４とを備え、第１の嵌合部は、テーパー面５０２およびテーパー面５０２に開口する第１部材用逃げ穴５０３を有し、テーパー面５０２は、第１部材用逃げ穴５０３の開口によっても分断されることなく、連続した面で形成されている。【選択図】  図６
2014119024.tif 000002
【特許請求の範囲】
【請求項１】
第１部材と第２部材を弾性的に連結するダンパ部材であって、
前記第１部材と嵌合する軸形状の第１の嵌合部と、
前記第２部材と嵌合する穴形状の第２の嵌合部とを備え、
前記第１の嵌合部は、テーパー面およびテーパー面に開口する第１部材用逃げ穴を有し、
前記テーパー面は、前記第１部材用逃げ穴の開口によっても分断されることなく、連続した面で形成されていることを特徴とするダンパ部材。
【請求項２】
前記第１の嵌合部と前記第２の嵌合部は、一方が正面側に、他方が背面側に、形成されていることを特徴とする請求項１に記載のダンパ部材。
【請求項３】
前記第１の嵌合部と前記第２の嵌合部は、同心状に形成されていることを特徴とする請求項１または２のいずれか１項に記載のダンパ部材。
【請求項４】
前記第２の嵌合部の周囲には、第２部材用逃げ穴が形成されていることを特徴とする請求項１ないし３のいずれか１項に記載のダンパ部材。
【請求項５】
前記第１部材はレンズホルダーであり、前記第２部材は撮影レンズであり、請求項１ないし４のいずれか１項に記載のダンパ部材を具備することを特徴とする撮像装置。
【請求項６】
前記レンズホルダーは、該レンズホルダーの基準面から前記撮影レンズ側に一段段差を持った段差面と、該段差面から垂直に延びる円筒形状面とを有し、
前記円筒形状面は、前記第１の嵌合部に嵌合することを特徴とする請求項５に記載の撮像装置。
【発明の詳細な説明】
【技術分野】
【０００１】
本発明は、第１部材と第２部材を弾性的に連結するダンパ部材および該ダンパ部材を具備する撮像装置に関するものである。
【背景技術】
【０００２】
従来の撮像装置には、図９に示すようにレンズホルダー７０１にレンズダンパ７０２が固定されている。また、図９（ｂ）にレンズダンパ７０２の単体図を示す。図に示すようにレンズホルダー嵌合部７０３とレンズボス挿入部７０４があり、レンズに設けられたリブをレンズボス挿入部７０４に差し込むというものが一般的であった。
【０００３】
図９（ｃ）は図９（ａ）に示したＣ−Ｃ断面図である。図９（ｃ）は、レンズホルダー７０１にレンズダンパ７０２を挿入した状態を示している。図に示すようにレンズダンパ７０２のレンズダンパ固定部７０５はレンズホルダー７０１のレンズホルダー固定穴７０６よりも直径が大きい。このため、レンズホルダー固定穴７０６にレンズダンパ固定部７０５を変形させて組み込み、レンズボス挿入部７０４にレンズに設けられたボスを挿入することによりレンズを固定するものである。
【０００４】
尚、レンズダンパ７０２の役割は、レンズ振動を他の部品に伝えない為である。レンズホルダー７０１と撮像レンズを直接固定すると撮像レンズがズーム動作やフォーカス動作を行うために駆動する際に、振動が発生し、この振動がレンズホルダー７０１を介してフロントカバーに搭載されたマイクユニットに伝わり、音に変換され、ノイズとなることがある。これを防ぐためにレンズダンパ７０２が必要となる。
【０００５】
更に、特許文献１に記載されるようにゴム状弾性部品の挿入部を硬質部材で作成することにより挿入時の組立性を向上するというものがあった。
【先行技術文献】
【特許文献】
【０００６】
【特許文献１】特開２００８−２６７４１５号公報
【発明の概要】
【発明が解決しようとする課題】
【０００７】
しかしながら、上記一般的な撮像装置の従来例ではレンズホルダーにレンズダンパを固定する際、ゴムを変形させて圧入する必要があり、小型製品においては組立性が悪いという問題があった。
【０００８】
また、特許文献１に示す従来例では、レンズダンパの先端を硬質部材にする必要があり、２色成形もしくは別部品を接着するなどの作業が必要となり、加工が複雑になるという問題点があった。
【０００９】
（発明の目的）
本発明の目的は、第１部材と第２部材を弾性的に連結する際の組立性を向上させ、且つ、コストアップにならない構造のダンパ部材を提供することである。
【課題を解決するための手段】
【００１０】
上記目的を達成するために、本発明のダンパ部材は、第１部材と第２部材を弾性的に連結するダンパ部材であって、前記第１部材と嵌合する軸形状の第１の嵌合部と、前記第２部材と嵌合する穴形状の第２の嵌合部とを備え、前記第１の嵌合部が、テーパー面およびテーパー面に開口する第１部材用逃げ穴を有し、前記テーパー面が、前記第１部材用逃げ穴の開口によっても分断されることなく、連続した面で形成されていることを特徴とするものである。
【発明の効果】
【００１１】
本発明によれば、第１部材と第２部材を弾性的に連結する際の組立性を向上させ、且つ、コストアップにならない構造にすることができる。
【図面の簡単な説明】
【００１２】
【図１】本発明の一実施例であるダンパ部材を具備する撮像装置としてのビデオカメラの外観図である。
【図２】図１のビデオカメラの分解図である。
【図３】図１のビデオカメラにおける撮影レンズとレンズダンパの関係図である。
【図４】図１のビデオカメラにおける撮影レンズとレンズダンパとレンズホルダーの関係図である。
【図５】本発明の一実施例であるダンパ部材としてのレンズダンパを示す図である。
【図６】本発明の一実施例に係るレンズダンパを示す図である。
【図７】本発明の一実施例に係るレンズダンパを示す図である。
【図８】図４におけるＡ−Ａ断面図である。
【図９】従来の撮像装置におけるレンズダンパを示す図である。
【発明を実施するための形態】
【００１３】
本発明を実施するための形態は、以下の実施例に記載される通りである。
【実施例】
【００１４】
（撮像装置のレイアウト）
図１に本発明の一実施例であるダンパ部材を具備する撮像装置としてのビデオカメラの外観図を示す。図１に示す、ビデオカメラ１００は、本体部１０１と表示部１０２とから構成されている。表示部１０２はヒンジ１０３により、本体部１０１と接続されており、本体部１０１に対し、表示面の開閉及び回転可能に配設されている。また、ビデオカメラ１００には、ビデオカメラ１００を駆動するためのバッテリ１０４が備えられている。
【００１５】
本体部１０１の内部には、ここでは図示しないが撮影レンズ、メイン基板等が配置されている。不図示の撮影レンズ、メイン基板等は、トップカバー、フロントカバー１０６、表示部収納カバー１０７、グリップカバー１０８、バッテリ収納部カバー１０９により外観を覆われている。フロントカバー１０６には撮影レンズを保護するためのバリアユニット、音声を記録するためのマイクユニットが搭載されている。マイクユニットからの信号はメイン基板に接続されている。また、表示部収納カバー１０７には、ヒンジ１０３を介して、表示部１０２が接続されている。また、バッテリ収納部カバー１０９にはバッテリ１０４を装着するための収納部の一部が形成される。
【００１６】
（撮像装置におけるレンズダンパとレンズホルダーの関係）
次に図２を用いてレンズダンパ２０３とレンズホルダー２０４の関係について説明する。レンズホルダー２０４は、鏡筒部を含む撮影レンズを保持するものである。図２はビデオカメラ１００の分解図を示している。トップカバー１０５の下に、無線通信モジュール２０１が配置されている。撮影レンズ２０２は、レンズダンパ２０３を介してレンズホルダー２０４に固定されている。カード基板２０６には、ＳＤカードスロットが実装され、無線通信モジュール２０１の下側に配置される。そしてカード基板２０６は、図示しないが、フレキシブル基板によりメイン基板２０５に接続されている。カード基板２０６の後方にはバッテリ収納部カバー１０９が配置されている。ここで、レンズダンパ２０３はダンパ部材を構成する。レンズホルダー２０４は第１部材を構成する。
【００１７】
（レンズボスとレンズダンパの関係）
次にレンズボス３０１とレンズダンパ２０３の関係について図３を用いて説明する。
【００１８】
図に示すように、撮影レンズ２０２に設けられたレンズボス３０１は、レンズダンパ２０３と嵌合し、レンズダンパ２０３を固定する。図３（ｂ）はレンズダンパ２０３が撮影レンズ２０２に取り付けられた状態を示している。レンズボス３０１を含む撮影レンズ２０２は第２部材を構成する。
【００１９】
（レンズダンパとレンズホルダーの関係）
次にレンズダンパ２０３とレンズホルダー２０４の関係について図４を用いて説明する。
【００２０】
図４（ａ）は、図３で示したレンズダンパ２０３が組み込まれた撮影レンズ２０２と、レンズホルダー２０４を示している。撮影レンズ２０２をレンズホルダー２０４に設けられたレンズダンパ挿入穴４０１に、図に示す矢印の向きで落とし込むことにより、図４（ｂ）に示すように一体化することができる。
【００２１】
（レンズダンパの形状の説明）
次に図５、図６、図７を用いて本発明の一実施例であるダンパ部材としてのレンズダンパ２０３の形状を示す。レンズダンパ２０３は、レンズホルダー２０４（第１部材）と撮影レンズ２０２のレンズボス３０１（第２部材）を弾性的に連結するものである。図５（ａ）は、レンズダンパ２０３の正面図を示している。また、図５（ｂ）は、レンズダンパ２０３の正面側の斜視図を示している。また、図６（ａ）は、レンズダンパ２０３の側面図を示している。また、図６（ｂ）は図５（ａ）におけるＢ−Ｂ断面図を示している。また、図７（ａ）は、レンズダンパ２０３の背面図を示している。また、図７（ｂ）は、レンズダンパ２０３の背面側の斜視図を示している。
【００２２】
レンズホルダー嵌合部５０１は、撮影レンズ２０２とレンズホルダー２０４が組み合わされた際にレンズホルダー２０４に嵌合する面である。レンズホルダー嵌合部５０１は、レンズホルダー２０４に差し込む軸形状となっている。レンズホルダー挿入テーパー面５０２は、レンズホルダー２０４と組み合わされる際に呼び込みのテーパー面になる部分である。レンズホルダー逃げ穴５０３は、レンズホルダー挿入テーパー面５０２に開口する。レンズホルダー２０４を組み込む際にレンズホルダー逃げ穴５０３がつぶれることによりストレスを逃がすので、組み立て易く、組み立て後は反力によりレンズホルダー２０４とレンズダンパ２０３が抜けにくくなる。更にレンズホルダー逃げ穴５０３は、強度アップのため非貫通の穴形状である。レンズホルダー嵌合部５０１は第１の嵌合部を構成する。レンズホルダー逃げ穴５０３は第１部材用逃げ穴を構成する。
【００２３】
上述した、レンズホルダー挿入テーパー面５０２は、連続した面になっており、レンズホルダー逃げ穴５０３の開口によっても分断されていない。これにより、レンズホルダー２０４への挿入時にレンズホルダー挿入テーパー面５０２は形状がつぶれたり、倒れたりしないため、組立性を向上することができる。
【００２４】
また、レンズホルダー逃げ穴５０３は、円形状をしており、穴がつぶれた時にエッジがないことにより力が分散するためである。また、穴を楕円形状にすると、レンズホルダー２０４を組み込む際に穴に引っ掛かりやすくなり、組立がしにくくなるため、円形状としている。
【００２５】
レンズボス挿入穴５０４は、レンズボス３０１とレンズダンパ２０３の嵌合部であり、レンズボス３０１が挿入される穴形状を有している。レンズボス挿入穴５０４は第２の嵌合部を構成する。
【００２６】
レンズボス３０１とレンズボス挿入穴５０４は軽圧入の関係になっており、レンズボス空気抜き穴５０５があることにより、奥まで挿入することができ、軽圧入のため、撮影レンズ２０２を組み立てる際に動かしてもレンズダンパ２０３が外れることがない。
【００２７】
レンズボス挿入穴５０４の周囲にはレンズボス逃げ穴５０６が設けられている。、レンズボス３１０の軽圧入によりレンズダンパ２０３が変形する時、レンズボス逃げ穴５０６が変形し、他の部分に形状の影響を与えないようにする。空気抜き溝５０７は、レンズボス逃げ穴５０６の空気を抜くための溝であり、全てのレンズボス空気抜き穴５０６から溝ができている。レンズボス逃げ穴５０６は第２部材用逃げ穴を構成する。
【００２８】
レンズホルダー嵌合部５０１とレンズボス挿入穴５０４は、２つの嵌合部を構成する。図６から分かるように、２つの嵌合部の一方であるレンズホルダー嵌合部５０１はレンズダンパ２０３の正面側に、他方であるレンズボス挿入穴５０４はレンズダンパ２０３の背面側に、それぞれ形成されている。そして、両者は同心状に形成されている。
【００２９】
（レンズボスとレンズダンパとレンズホルダーの関係  振動吸収方向の説明）
次に図８に図４（ｂ）におけるＡ−Ａ断面図を示す。
【００３０】
図８はレンズボス３１０とレンズダンパ２０３とレンズホルダー２０４の関係を示している。点線６０１は、レンズボス３０１とレンズダンパ２０３の嵌合面を示している。点線６０２は、レンズダンパ２０３とレンズホルダー２０４の嵌合面を示している。レンズホルダー２０４は、レンズホルダー基準面６０３からプレス加工により撮影レンズ側に一段段差をつけた段差面を有している。レンズダンパ当て面６０４を有している。更に、レンズホルダー２０４は、この段差面（レンズダンパ当て面６０４）から垂直な円筒形状面６０５、つまり、レンズダンパ嵌合面を有している。この円筒形状面６０５は、レンズホルダー２０４とレンズダンパ２０３の嵌合長を増やし、撮影レンズ２０２を安定して固定できるようにしている。
【００３１】
図８で示す矢印のように、レンズホルダー逃げ穴５０３は、上下から押されて変形することにより、他の部分の変形を防いでいる。更にレンズホルダー逃げ穴５０３は、撮影レンズ２０２の振動方向を分断する向きに穴があいている。このレンズホルダー逃げ穴５０３はが振動により変形することで、撮影レンズ２０２にかかる振動を吸収している。
【００３２】
以上説明したように、レンズダンパ２０３を撮影レンズ２０２に固定し、そのあとに、レンズホルダー２０４のレンズダンパ挿入穴４０１に落とし込んで組み込むことができる。これにより、レンズホルダー２０４を先に外装カバーに固定し、そのあとに撮影レンズ２０２を組み込むことが可能となる。
【００３３】
以上、本発明をその好適な実施例に基づいて詳述してきたが、本発明はこれら特定の実施例に限られるものではなく、本発明の要旨を逸脱しない範囲の様々な形態も本発明に含まれる。
【符号の説明】
【００３４】
２０２  撮影レンズ
２０３  レンズダンパ
２０４  レンズホルダー
３０１  レンズボス
５０１  レンズホルダー嵌合部
５０２  レンズホルダー挿入テーパー面
５０３  レンズホルダー逃げ穴
５０４  レンズボス挿入穴
５０６  レンズボス逃げ穴
【図１】
2014119024.tif 000003
【図２】
2014119024.tif 000004
【図３】
2014119024.tif 000005
【図４】
2014119024.tif 000006
【図５】
2014119024.tif 000007
【図６】
2014119024.tif 000008
【図７】
2014119024.tif 000009
【図８】
2014119024.tif 000010
【図９】
2014119024.tif 000011